(57)【特許請求の範囲】
【請求項１】
天井部に設けられ、生体認証装置を着脱可能に固定するための第１係止部を有する第１設置面と、
中間部に設けられた第１収納スペースに収納された不使用形態と前記第１収納スペースから出現した使用形態との切り替えが可能に構成された可動テーブルと、
前記可動テーブルに設けられ、前記生体認証装置を着脱可能に固定する第２係止部を有する第２設置面と、を備え、
生体認証装置の被認証者が一般健常者である場合には、前記可動テーブルは前記不使用形態であり、前記生体認証装置は前記第１設置面に設置され前記第１係止部によって固定されており、
前記生体認証装置の被認証者が車椅子使用者である場合には、前記可動テーブルは前記使用形態であり、前記生体認証装置は第２設置面に設置され前記第２係止部によって固定されている、生体認証装置用移動式設置台。
【請求項２】
正面上部には前記生体認証装置の操作を行うための操作端末が設置され、
前記第１係止部は、
前記操作端末に対して右側から被認証者の認証を行うように前記生体認証装置が設置された右側設置態様の場合に前記生体認証装置を着脱可能に固定するための右側運用係止部と、
前記操作端末に対して左側から被認証者の認証を行うように生体認証装置が設置された左側設置態様の場合に前記生体認証装置を着脱可能に固定するための左側運用係止部と、からなる、請求項１に記載の生体認証装置用移動式設置台。
【請求項３】
前記第１設置面には、左右方向に延在する長穴が形成され、前記生体認証装置の配線は前記長穴を通って下部へと引き回されている、請求項２に記載の生体認証装置用移動式設置台。
【請求項４】
前記生体認証装置が第２設置面に設置されているときに第１設置面を保護する保護プレートをさらに備え、
正面には、前記保護プレートを収納するための第２収納部分が形成され、
前記第１設置面は、前記保護プレートを着脱可能に固定する第３係止部を有する、請求項１から３のいずれか一項に記載の生体認証装置用移動式設置台。
【請求項５】
前記可動テーブルは、前記使用形態のときに閾値以上の荷重がかかった場合に、水平に対して下方に傾斜するように構成されている、請求項１から４のいずれか一項に記載の生体認証装置用移動式設置台。
【発明の詳細な説明】
【技術分野】
【０００１】
本発明は、生体認証装置用移動式設置台に関する。
【背景技術】
【０００２】
被認証者の顔画像、指紋、虹彩、掌形などの生体情報によって被認証者の認証を行う生体認証装置が知られている。特許文献１には、被認証者と対向するよう設置され、被認証者の生体情報を入力する生体情報入力手段を備えた端末部と、この端末部を被認証者の身長に応じて上下移動させるための端末移動手段と、を備えた生体認証装置が開示されている。
【先行技術文献】
【特許文献】
【０００３】
【特許文献１】特開２００３−３０８３０３号公報
【発明の概要】
【発明が解決しようとする課題】
【０００４】
ところで、近年、空港などにおいて、生体認証装置が移動可能な設置台に設置された、いわゆるバイオカートが導入されている。バイオカートには様々な設置形態が想定される。例えば、生体認証装置の操作を行うための操作端末に対して、左側から被認証者の認証を行うように生体認証装置が設置された左側設置態様と、右側から被認証者の認証を行うように生体認証装置が設置された右側設置態様と、が想定される。また、健常者が使用することを前提に生体認証装置が設置された健常者設置態様と、車椅子使用者が使用することを前提に生体認証装置が設置された車椅子使用者設置態様と、が想定される。バイオカートのユーザにおいては、想定されるこれらの設置態様間で、設置態様の変更を容易にできるようにしてほしいというニーズがあった。
【０００５】
本開示の目的は、上述した課題を鑑み、想定される設置態様間で、設置態様の変更を容易にできる生体認証装置用移動式設置台を提供することにある。
【課題を解決するための手段】
【０００６】
本発明の第１の態様に係る生体認証装置用移動式設置台は、天井部に設けられ、生体認証装置を着脱可能に固定するための第１係止部を有する第１設置面と、中間部に設けられた第１収納スペースに収納された不使用形態と前記第１収納スペースから出現した使用形態との切り替えが可能に構成された可動テーブルと、前記可動テーブルに設けられ、前記生体認証装置を着脱可能に固定する第２係止部を有する第２設置面と、を備え、生体認証装置の被認証者が一般健常者である場合には、前記可動テーブルは前記不使用形態であり、前記生体認証装置は前記第１設置面に設置され前記第１係止部によって固定されており、前記生体認証装置の被認証者が車椅子使用者である場合には、前記可動テーブルは前記使用形態であり、前記生体認証装置は第２設置面に設置され前記第２係止部によって固定されている。
【発明の効果】
【０００７】
本発明により、想定される設置態様間で、設置態様の変更を容易にできる。
【図面の簡単な説明】
【０００８】
【図１】実施の形態１に係る生体認証装置用移動式設置台の構造について説明する模式図である。
【図２】実施の形態２に係る生体認証装置用移動式設置台の構造について説明する模式図である。
【図３】実施の形態２に係る生体認証装置用移動式設置台における第１設置面の構成の詳細について説明する平面図である。
【図４】実施の形態２に係る生体認証装置用移動式設置台の第１設置面に生体認証装置を設置する態様について説明する模式図である。
【図５】生体認証装置に取り付けられる固定用金具を示す平面図である。
【図６】生体認証装置に固定用金具が取り付けられた状態を示す側面図である。
【図７】第１設置面を保護する保護プレートの構成について示す模式図である。
【図８】実施の形態２に係る生体認証装置用移動式設置台の可動テーブルの構成を示す平面図である。
【図９】可動テーブルの構成を示す斜視図である。
【図１０】可動テーブルの使用形態と不使用形態を示す模式図である。
【図１１】可動テーブルにおける転倒防止機構の動作について説明する模式図である。
【図１２】生体認証装置用移動式設置台の第１設置面に生体認証装置を設置する態様について説明する模式図である。
【図１３】生体認証装置を移設する手順について説明する模式図である。
【図１４】生体認証装置を移設する手順について説明する模式図である。
【図１５】生体認証装置を移設する手順について説明する模式図である。
【図１６】生体認証装置を移設する手順について説明する模式図である。
【図１７】生体認証装置を移設する手順について説明する模式図である。
【図１８】生体認証装置を移設する手順について説明する模式図である。
【発明を実施するための形態】
【０００９】
以下、図面を参照して本発明の実施の形態について説明する。説明の明確化のため、以下の記載及び図面は、適宜、省略、及び簡略化がなされている。各図面において、同一の要素には同一の符号が付されており、必要に応じて重複説明は省略されている。なお、図に示した右手系ＸＹＺ座標は、構成要素の位置関係を説明するための便宜的なものである。
【００１０】
［実施の形態１］
以下、実施の形態１について説明する。
図１は、実施の形態１に係る生体認証装置用移動式設置台１の構造について説明する模式図である。図１に示すように、生体認証装置用移動式設置台１は、第１設置面２と、可動テーブル３と、第２設置面４と、を備えている。
【００１１】
第１設置面２は、天井部に設けられ、生体認証装置１０を着脱可能に固定するための第１係止部２１を有する。可動テーブル３は、中間部に設けられた第１収納スペース５に収納された不使用形態と第１収納スペース５から出現した使用形態との切り替えが可能に構成されている。第２設置面４は、可動テーブル３に設けられ、生体認証装置１０を着脱可能に固定する第２係止部４１を有する。
【００１２】
生体認証装置１０の被認証者が一般健常者である場合には、可動テーブル３は不使用形態であり、生体認証装置１０は第１設置面２に設置され第１係止部２１によって固定されている。生体認証装置１０の被認証者が車椅子使用者である場合には、可動テーブル３は使用形態であり、生体認証装置１０は第２設置面４に設置され第２係止部４１によって固定されている。
【００１３】
このように構成することで、想定されるこれらの設置態様間で、設置態様の変更を容易にできる。
【００１４】
［実施の形態２］
【００１５】
以下、実施の形態２について説明する。図２は、実施の形態２に係る生体認証装置用移動式設置台１０１の構造について説明する模式図である。図２において、左側に正面図、右側に背面図を示されている。図２に示すように、生体認証装置用移動式設置台１０１は、第１設置面１０２と、可動テーブル１０３と、第２設置面１０４と、操作端末１０６を備えている。さらに、生体認証装置用移動式設置台１０１は、車輪１１１と、ハンドル１１２と、バッテリー１１３と、を備えている。
【００１６】
第１設置面１０２は、天井部に設けられている。第１設置面１０２は、生体認証装置１１０の被認証者が一般健常者である場合に生体認証装置１１０が取り付けられる。地面から第１設置面１０２までの高さは、一般健常者が認証を行いやすい高さ（例えば１１００ｍｍ）とする。可動テーブル３は、中間部に設けられている。第２設置面１０４は、可動テーブル３に設けられている。第２設置面１０４は、生体認証装置１１０の被認証者が車椅子使用者である場合に生体認証装置１１０が取り付けられる。
【００１７】
操作端末１０６は、オペレーターが生体認証装置１１０の操作を行うためのもので、正面上部に設置されている。また、中間部には、可動テーブル１０３を収納するための第１収納スペース１０５が設けられており、正面には、保護プレート１０８を収納するための第２収納部分１０７が設けられている。第２収納部分１０７は、扉式の前面パネル１１５で蓋をされている。保護プレート１０８を取り出す際には前面パネル１１５を開ける。
【００１８】
図３は、第１設置面１０２の構成の詳細について説明する平面図である。図３に示すように、第１設置面１０２は、生体認証装置１１０を着脱可能に固定するための第１係止部１２１を有している。第１係止部１２１は、右側運用係止部１２１ａと、左側運用係止部１２１ｂと、からなる。
【００１９】
右側運用係止部１２１ａは、右側設置態様の場合に生体認証装置を着脱可能に固定するためのもので、切り欠き部１２１ａＡと、ねじ穴１２１ａＢと、からなる。左側運用係止部１２１ｂは、左側設置態様の場合に生体認証装置１１０を着脱可能に固定するためのもので、切り欠き部１２１ｂＡと、ねじ穴１２１ｂＢと、からなる。
【００２０】
第１設置面１０２は、保護プレート１０８を着脱可能に固定する第３係止部１２３を有している。また、第１設置面１０２には、左右方向に長穴１２２が延設されている。なお、生体認証装置１１０から延出する配線は、長穴１２２を通って、生体認証装置用移動式設置台１０１の内部に配置されたバッテリー１１３や操作端末１０６に接続されている。さらに、第１設置面１０２には、保護プレート１０８を固定するための第３係止部１２３が形成されている。
【００２１】
図４は、生体認証装置用移動式設置台１０１の第１設置面１０２に生体認証装置１１０を設置する態様について説明する模式図である。図４において、右側に示されている生体認証装置用移動式設置台１０１が右側設置態様で、左側に示されている生体認証装置用移動式設置台１０１が左側設置態様である。右側設置態様は、操作端末１０６に対して右側から被認証者の認証を行うように生体認証装置が設置された状態である。また、図４の左側に示すように、左側設置態様は、操作端末１０６に対して左側から被認証者の認証を行うように生体認証装置１１０が設置された状態である。
【００２２】
図５は、生体認証装置１１０に取り付けられる固定用金具１０９を示す平面図である。図５に示すように、固定用金具１０９は、フック１０９ａと、連結ねじ１０９ｂと、を有している。図６は、生体認証装置１１０に固定用金具１０９が取り付けられた状態を示す側面図である。図６に示すように、固定用金具１０９は、生体認証装置１１０の底面に取り付けられる。
【００２３】
固定用金具１０９を介して生体認証装置１１０を図３に示す第１設置面１０２に固定する場合、まず、固定用金具１０９のフック１０９ａを第１設置面１０２の切り欠き部１２１ａＡ（図３参照）にはめ込む。そして、固定用金具１０９の連結ねじ１０９ｂを第１設置面１０２のねじ穴１２１ａＢ（図３参照）に螺合させる。なお、生体認証装置１１０が第１設置面１０２に固定された状態から生体認証装置１０を取り外す場合、上述した、生体認証装置１１０を第１設置面１０２に固定する手順と逆の手順を行えばよい。
【００２４】
図７は、保護プレート１０８の構成について示す模式図である。図７に示すように、保護プレート１０８は金属製の板で、四隅には連結ねじ１０８ａが取り付けられている。保護プレート１０８は、生体認証装置１１０が第２設置面１０４に設置されているときに第１設置面１０２を保護するためのものである。第１設置面１０２の第３係止部１２３は連結ねじ１０８ａに対応する位置にあり、保護プレート１０８を第１設置面１０２に取り付ける際には、第１設置面１０２の第３係止部１２３に連結ねじ１０８ａを螺合させる。また、保護プレート１０８には配線１１４をよけるための切り欠き１０８ｂが形成されている。
【００２５】
図８は、可動テーブル１０３の構成を示す平面図である。図９は、可動テーブル１０３の構成を示す斜視図である。図８及び図９に示すように、可動テーブル１０３には、生体認証装置１１０を設置するための第２設置面１０４が設けられている。第２設置面１０４は、生体認証装置１１０を着脱可能に固定する第２係止部１４１を有する。第２係止部１４１は、切り欠き部１４１ａと、ねじ穴１４１ｂと、からなる。
【００２６】
可動テーブル１０３には、第１回転機構１０３ａと第２回転機構１０３ｂが設けられている。第１回転機構１０３ａは、第１収納スペース１０５に設けられた円筒状の支柱１０５ａを軸として回転可能に構成され、可動テーブル１０３の使用形態と不使用形態との切り替えをする。調節ねじ１０３ａＡは、可動テーブル１０３を、使用形態または不使用形態で維持するため、可動テーブル１０３が回転しないように規制する。第２回転機構１０３ｂは、軸を中心として可動テーブル１０３を上下に傾けることが可能なように構成されている。可動テーブル１０３における第２設置面１０４の反対側の面には、転倒防止機構１０３ｃが取り付けられている。転倒防止機構１０３ｃは、例えばガススプリングである。
【００２７】
図１０は、可動テーブル１０３の使用形態と不使用形態を示す模式図である。図１０の上段には、可動テーブル１０３の使用形態が示されている。使用形態では、可動テーブル１０３が第１収納スペース１０５から出現している。第２設置面１０４に生体認証装置１１０を設置するときには、可動テーブル１０３を使用形態にする。なお、可動テーブル１０３の使用形態における、地面から第２設置面１０４までの高さは、車椅子使用者が車椅子に座ったままで認証を行いやすい高さ（例えば６００〜７００ｍｍ）とする。図１０の下段には、可動テーブル１０３の不使用形態が示されている。不使用形態では、可動テーブル１０３が第１収納スペース１０５に収納されている。
【００２８】
図１１は、転倒防止機構１０３ｃの動作について説明する模式図である。図１１の上段に示すように、転倒防止機構１０３ｃは、可動テーブル１０３にかかる荷重Ｆが閾値未満の場合には、可動テーブル１０３が水平の位置で維持されるように可動テーブル１０３を支持する。これに対し、図１１の下段に示すように、転倒防止機構１０３ｃは、可動テーブル１０３にかかる荷重Ｆが閾値以上の場合には、可動テーブル１０３が水平に対して下方に傾斜するように構成されている。
【００２９】
例えば、生体認証装置１１０の重量が３ｋｇ、可動テーブル１０３の重量が２ｋｇとする。可動テーブル１０３において、荷重Ｆが１０ｋｇｆ以上の場合に、可動テーブル１０３が水平に対して下方に傾斜するようにするためには、転倒防止機構１０３ｃとしてのガススプリングが１５ｋｇｆ（３ｋｇｆ＋２ｋｇｆ＋１０ｋｇｆ）以上で縮むようにガススプリングのバネ定数を設定すればよい。可動テーブル１０３が水平に対して下方に傾斜すると、水平面における重心位置を、可動テーブル１０３が不使用形態であるときの生体認証装置用移動式設置台１０１の水平面における重心位置に近づくように移動させることができる。これにより、生体認証装置用移動式設置台１０１が転倒するのを抑制することができる。
【００３０】
なお、第２設置面１０４に生体認証装置１１０を設置する場合についても、上述した、第１設置面１０２に生体認証装置１１０を設置する場合と同様に、右側設置態様、左側設置態様で設置することができる。図１２は、生体認証装置用移動式設置台１０１の第１設置面１０２に生体認証装置１１０を設置する態様について説明する模式図である。図１２において、右側設置態様が図１２の右側に、左側設置態様が図１２の左側に示されている。
【００３１】
次に、生体認証装置１１０を移設する手順について説明する。
図１３から図１８は、生体認証装置１１０を第１設置面１０２から第２設置面１０４に移設する手順について説明する模式図である。まず、図１３に示すように、連結ねじ１０９ｂを緩めて生体認証装置１１０を取り外しできるようにする。続いて、図１４に示すように、調節ねじ１０３ａＡを緩め、可動テーブル１０３を第１収納スペース１０５から引き出す。そして、生体認証装置１１０が取り付け可能な位置まで可動テーブル１０３を引き出したところで調節ねじ１０３ａＡを再び締める。
【００３２】
続いて、図１５に示すように、生体認証装置１１０を左側（Ｘ方向プラス側）に移動させる。このとき、生体認証装置１１０から延出している配線１１４は長穴１２２に沿って引き出される。続いて、図１６に示すように、生体認証装置１１０を可動テーブル１０３に取り付け、連結ねじ１０９ｂを締めて生体認証装置１１０を可動テーブル１０３に固定する。
【００３３】
続いて、図１７に示すように、生体認証装置用移動式設置台１０１の前面パネル１１５を開き、保護プレート１０８を取り出す。そして、図１８に示すように、第１設置面１０２に保護プレート１０８を取付ける。
【００３４】
生体認証装置１１０を第２設置面１０４から第１設置面１０２に移設する手順については、上述した、生体認証装置１１０を第１設置面１０２から第２設置面１０４に移設する手順と逆の手順を行えばよい。
【００３５】
なお、本発明は上記実施の形態に限られたものではなく、趣旨を逸脱しない範囲で適宜変更することが可能である。また、以上で説明した複数の例は、適宜組み合わせて実施されることもできる。
【符号の説明】
【００３６】
１、１０１  生体認証装置用移動式設置台
２、１０２  第１設置面
３、１０３  可動テーブル
４、１０４  第２設置面
５、１０５  第１収納スペース
１０、１１０  生体認証装置
２１、１２１  第１係止部
４１、１４１  第２係止部
１０３ａ  第１回転機構
１０３ａＡ  調節ねじ
１０３ｂ  第２回転機構
１０３ｃ  転倒防止機構
１０５  第１収納スペース
１０５ａ  支柱
１０６  操作端末
１０７  第２収納部分
１０８  保護プレート
１０９  固定用金具
１０９ａ  フック
１０９ｂ  連結ねじ
１１１  車輪
１１２  ハンドル
１１３  バッテリー
１１４  配線
１１５  前面パネル
１２１  第１係止部
１２１ａ  右側運用係止部
１２１ａＡ  切り欠き部
１２１ａＢ  ねじ穴
１２１ｂ  左側運用係止部
１２１ｂＡ  切り欠き部
１２１ｂＢ  ねじ穴
１２２  長穴
１２３  第３係止部
１４１  第２係止部
１４１ａ  切り欠き部
１４１ｂ  ねじ穴
【要約】
【課題】想定される設置態様間で、設置態様の変更を容易にできる生体認証装置用移動式設置台を提供する。
【解決手段】生体認証装置用移動式設置台は、天井部に設けられ、生体認証装置を着脱可能に固定するための第１係止部を有する第１設置面と、中間部に設けられた第１収納スペースに収納された不使用形態と第１収納スペースから出現した使用形態との切り替えが可能に構成された可動テーブルと、可動テーブルに設けられ、生体認証装置を着脱可能に固定する第２係止部を有する第２設置面と、を備え、生体認証装置の被認証者が一般健常者である場合には、可動テーブルは不使用形態であり、生体認証装置は第１設置面に設置され第１係止部によって固定されており、生体認証装置の被認証者が車椅子使用者である場合には、可動テーブルは使用形態であり、生体認証装置は第２設置面に設置され第２係止部によって固定されている。
【選択図】図１【図１】
0006813209.tif 000002
【図２】
0006813209.tif 000003
【図３】
0006813209.tif 000004
【図４】
0006813209.tif 000005
【図５】
0006813209.tif 000006
【図６】
0006813209.tif 000007
【図７】
0006813209.tif 000008
【図８】
0006813209.tif 000009
【図９】
0006813209.tif 000010
【図１０】
0006813209.tif 000011
【図１１】
0006813209.tif 000012
【図１２】
0006813209.tif 000013
【図１３】
0006813209.tif 000014
【図１４】
0006813209.tif 000015
【図１５】
0006813209.tif 000016
【図１６】
0006813209.tif 000017
【図１７】
0006813209.tif 000018
【図１８】
0006813209.tif 000019